(57)【特許請求の範囲】
【請求項１】
遊技機器を収容した筐体の前面に設けられる前扉の上縁及び両側縁に沿って、遊技状況に応じて点灯または点滅するトップランプユニット及びサイドランプユニットをそれぞれ着脱可能に設け、
前記トップランプユニットは、
前記前扉の上縁に着脱可能に取り付けられ、後記トップ光源の光を不規則に反射させる複数の反射口を有する横長の不透光性のトップカバーと、
前記トップカバー内に設けられ、遊技状況に応じて点灯または点滅し前記反射口を通って後記トップレンズを裏側から照射するトップ光源と、
前記トップカバーの前面に設けられ、前記トップ光源の光を透光可能な横長のトップレンズとを含み、
前記サイドランプユニットは、
前記前扉の側縁に沿って着脱可能に取り付けられ、後記サイド光源の光を不規則に反射させる複数の反射口を有する縦長の不透光性のサイドカバーと、
前記サイドカバーの後面に固定され、遊技状況に応じて点灯または点滅し前記反射口を通って後記サイドレンズを裏側から照射するサイド光源が実装される基板と、
前記サイドカバーの表面に固定され、前記サイド光源の光を透光可能な縦長のサイドレンズとを含み、
前記サイドカバーは、縦方向の上部にあって、前記トップカバーの横方向の端部に突き合わせ可能で、かつ前記前扉の上隅に沿って折曲するＬ字部を有し、
前記サイドレンズは、縦方向の上部にあって、前記サイドカバーのＬ字部に合致するＬ字部を有し、
前記基板の上部を前記サイドカバーのＬ字部に合わせてＬ字型に形成し、
前記基板のＬ字型の部分にも前記サイド光源を設け、
前記サイドカバーのＬ字部の端部を前記トップカバーの横方向の端部、また前記サイドレンズのＬ字部の端部を前記トップレンズの横方向の端部にそれぞれ突き合わせて繋げたことを特徴とする遊技機。
【発明の詳細な説明】
【技術分野】
【０００１】
本発明は、遊技機器を収容した筐体の前面に設けられる前扉に、遊技状況に応じて点灯または点滅するランプユニットを設けた遊技機に関する。
【背景技術】
【０００２】
スロットマシン等の遊技機においては、筐体の前面に設けられる前扉の上部及び両側縁に、遊技状況に応じて点灯または点滅する上部ユニット及びサイドランプユニットを着脱可能に取り付けることによって、機種変更や修理交換の際、上部ユニットやサイドランプユニットを部分的に交換可能として、機種変更、メンテナンスに柔軟に対応可能としたものがある（例えば、特許文献１参照）。
【０００３】
【特許文献１】特開２００４−４１２４５号公報
【発明の開示】
【発明が解決しようとする課題】
【０００４】
しかし、上述のような遊技機は、上部ユニット及びサイドランプユニットを前扉に取り付けた形態において、サイドランプユニットの一部を構成する光源カバーにおける上部の内側面を、上部ユニットの左右両端に突き当てるように、光源カバーと上部カバーとを互いに繋いでいる。このため、両ユニットの繋ぎ目と光源カバーの内側面とが一直線になるように並ぶことに起因して、前扉の両側部には直線的デザインが強調され、デザインの自由度が制限されることとなる。
【０００５】
本発明は、上述の課題に鑑み、機種変更及びメンテナンスに柔軟に対応可能とし、かつ前扉のデザインの自由度を向上させることができるようにした遊技機を提供することを目的とする。
【課題を解決するための手段】
【０００６】
上記目的を達成するため、本発明に係る遊技機は、遊技機器を収容した筐体の前面に設けられる前扉の上縁及び両側縁に沿って、遊技状況に応じて点灯または点滅するトップランプユニット及びサイドランプユニットをそれぞれ着脱可能に設け、前記トップランプユニットは、前記前扉の上縁に着脱可能に取り付けられ、後記トップ光源の光を不規則に反射させる複数の反射口を有する横長の不透光性のトップカバーと、前記トップカバー内に設けられ、遊技状況に応じて点灯または点滅し前記反射口を通って後記トップレンズを裏側から照射するトップ光源と、前記トップカバーの前面に設けられ、前記トップ光源の光を透光可能な横長のトップレンズとを含み、前記サイドランプユニットは、前記前扉の側縁に沿って着脱可能に取り付けられ、後記サイド光源の光を不規則に反射させる複数の反射口を有する縦長の不透光性のサイドカバーと、前記サイドカバーの後面に固定され、遊技状況に応じて点灯または点滅し前記反射口を通って後記サイドレンズを裏側から照射するサイド光源が実装される基板と、前記サイドカバーの表面に固定され、前記サイド光源の光を透光可能な縦長のサイドレンズとを含み、前記サイドカバーは、縦方向の上部にあって、前記トップカバーの横方向の端部に突き合わせ可能で、かつ前記前扉の上隅に沿って折曲するＬ字部を有し、前記サイドレンズは、縦方向の上部にあって、前記サイドカバーのＬ字部に合致するＬ字部を有し、前記基板の上部を前記サイドカバーのＬ字部に合わせてＬ字型に形成し、前記基板のＬ字型の部分にも前記サイド光源を設け、前記サイドカバーのＬ字部の端部を前記トップカバーの横方向の端部、また前記サイドレンズのＬ字部の端部を前記トップレンズの横方向の端部にそれぞれ突き合わせて繋げる。この構成により、トップランプユニットまたは／及びサイドランプユニットを交換することによって、前扉のデザイン変更及びメンテナンスを容易に行うことができる。また、トップランプユニットとサイドランプユニットとの繋ぎ目が、サイドランプユニットの内側面よりも内側に偏倚するため、両ユニットの繋ぎ目を目立たなくすることができ、かつ前扉の両側部の直線的デザインが緩和されて、前扉のデザインの自由度が向上する。
更に、前扉の上部のデザインを変更する場合には、トップランプユニットのみの交換で済むため、前扉における上部デザインの自由度がより向上し、かつ柔軟なメンテナンスが可能となる。
【発明の効果】
【０００８】
本発明によれば、前扉のデザイン変更及びメンテナンスを容易に行うことができる。また、トップランプユニットとサイドランプユニットとの繋ぎ目が、サイドランプユニットの内側面よりも内側に偏倚するため、前扉の両側部の直線的デザインが緩和されて、前扉のデザインの自由度が向上する。
【発明を実施するための最良の形態】
【０００９】
以下、本発明の一実施形態を、図面に基づいて説明する。図１は、本発明を適用した遊技機の斜視図、図２は、前扉の一部を分解した状態の遊技機の斜視図である。なお、以下の説明では、図１における左斜め下方を遊技機の「前方」とし、同じく右斜め上方を「後方」とし、同じく左斜め上方を「左方」とし、同じく右斜め下方を「右方」とする。
【００１０】
スロットマシン（パチスロ機を含む）である遊技機１は、前面が開口した筐体２と、筐体２の前面に開閉可能に設けられる合成樹脂製の前扉３とを備え、筐体２内には、遊技機器、例えば、外周面に複数種類の図柄、数字等で構成される識別情報が付記され、左右方向の軸まわりに回転可能に枢支された左、中、右３個の回転リール４が収容されている。
【００１１】
前扉３の前面のほぼ中央部には、回転リール４の識別情報を視認可能な識別情報表示窓３１が設けられ、識別情報表示窓３１の上方には、前扉３の裏面に取り付けられた液晶表示装置５に表示される遊技に係わる演出画像を視認可能な表示窓３２が設けられている。前扉３の識別情報表示窓３１及び表示窓３２を含むほぼ上半分の前面は、透明アクリル板等により形成される透明パネル６により覆われる。透明パネル６には、その後方に設けられるランプ、及び液晶表示装置５に対応する窓、図柄が印刷されたフィルム６１が貼着されているか、または、板厚方向に挟み込まれている。したがって、回転リール４の識別情報及び液晶表示装置５に表示される演出画像は、透明パネル６に設けられる窓を透して視認することができる。
【００１２】
前扉３における識別情報表示窓３１の下方には、操作部表装板９が着脱可能に設けられている。操作部表装板９には、遊技を行うときにメダルが投入されるメダル投入部１０、メダルの賭数を設定するＭＡＸベットボタン１１、全ての回転リール４を回転させるときに操作されるスタートレバー１２、各回転リール４の回転を停止させるときに操作される３個のストップボタン１３等が設けられる。
【００１３】
前扉３における表示窓３２の上方の上縁には、遊技状況に応じて点灯または点滅する横長のトップランプユニット７が着脱可能に取り付けられ、また、前扉３の両側縁には、遊技状況に応じて点灯または点滅する縦長のサイドランプユニット８、８が着脱可能に取り付けられる。
【００１４】
遊技機１の遊技は、遊技者がメダルをメダル投入部１０に投入するか、または、ＭＡＸベットボタン１１により予め投入されたメダル数を電気的に記憶されたクレジット状態のメダルの賭数を設定した後、スタートレバー１２を操作して、全ての回転リール４を回転させることによって開始される。
【００１５】
回転リール４が回転して所定時間が経過した後、３個のストップボタン１３を順次操作して、各回転リール４の回転を停止させ、停止した３個の回転リール４の識別情報の組み合わせにより、入賞の有無、及び賞の大小に応じたメダルの配当枚数が確定される。入賞した場合には、筐体２内に収容されたホッパーユニット（図示略）から予め定めた枚数のメダルが前扉３の前面に払い出されると共に、トップランプユニット７及びサイドランプユニット８が所定の態様で点灯または点滅して演出効果を高める。
【００１６】
なお、本実施形態においては、遊技機１を遊技媒体がメダル（コインを含む）とするスロットマシンとして説明するが、本発明は、これに特定されるものでなく、遊技機１を遊技媒体がパチンコ玉であるスロットマシンまたはパチンコ機としても良い。
【００１７】
図３は、右側のサイドランプユニット８の分解斜視図、図４は、トップランプユニット７の分解斜視図、図５は、前扉３の右上隅部の拡大斜視図である。サイドランプユニット８は、前扉３の両側縁に沿って前扉３の裏側から複数のネジ（図示略）により着脱可能に取り付けられる不透光性の合成樹脂製のサイドカバー８１と、サイドカバー８１の後面に固定される上、下の基板８２、８３に実装される光源をなす複数の発光ダイオード８４、８５と、サイドカバー８１の表面に固定される上、下の透光性のレンズ８６、８７と、上側の各発光ダイオード８４の対応する透光性の筒状体８８とを含む。
【００１８】
サイドカバー８１は、ほぼ上半分に各発光ダイオード８４に対応し、かつ筒状体８８を通過した各発光ダイオード８４の光を不規則に反射させる複数の反射口８１１、また、上部に前扉３における上隅（左側のサイドカバー８１においては左上隅３３、右側のサイドカバー８１においては右上隅３４）に沿って折曲するＬ字部８１２をそれぞれ有し、Ｌ字部８１２に合わせて基板８２をＬ字型に形成し、基板８２のＬ字型の部分にも発光ダイオード８４を設け、基板８２をサイドカバー８１に固定するとともに、前扉３に着脱可能に取り付けられる。
【００１９】
上側のレンズ８６は、反射口８１１を前面から被うようにサイドカバー８のほぼ上半分の領域に固定されると共に、上部には、サイドカバー８１のＬ字部８１２に合致するＬ字部８６１が形成されている。レンズ８６の側面に穿設された開口部８６２には、レンズ８６と異なる彩色が施された装飾用レンズ８９が嵌め込まれる。
【００２０】
上側の発光ダイオード８４は、発光することによって対応する筒状体８８、反射口８１１を通って上側のレンズ８６を裏側から照射する。
【００２１】
下側のレンズ８７は、サイドカバー８１の下部に設けられた開口部８１３に嵌め込まれ、下側の発光ダイオード８５の光によって裏側から照射される。
【００２２】
トップランプユニット７は、前扉３の上縁に沿って前扉３の裏側から複数のネジ（図示略）により着脱可能に固定される不透光性の合成樹脂製のトップカバー７１と、トップカバー７１の後面に固定される横長の基板７２に実装される光源をなす複数の発光ダイオード７３と、トップカバー７１の前面を被うように固定される横長の透光性のレンズ７４と、各発光ダイオード７３に対応する位置に配置される複数の透光性の筒状体７５とを含む。
【００２３】
トップカバー７１にレンズ７４を取り付けたトップランプユニット７の左右の端面形状は、サイドカバー８１にレンズ８６を取り付けたサイドランプユニット８におけるＬ字部８１２、８６１の端面形状に対応する。
【００２４】
トップカバー７１は、前面に各発光ダイオード７３及び各筒状体７５に対応し、かつ筒状体７５を通過した各発光ダイオード７３の光を不規則に反射させる複数の反射口７１１を有し、前扉３の上縁に沿って着脱可能に固定されることによって、前扉３、すなわちトップカバー７１と別体に形成された表示窓３２の上部を装飾する。
【００２５】
発光ダイオード７３は、発光することによって対応する筒状体７５、反射口７１１を通ってレンズ７４を裏側から照射する。
【００２６】
上述の構成により、トップランプユニット７を前扉３の上縁に取り付けると共に、サイドランプユニット８のＬ字部８１２、８６１の端部をトップライトユニット７の端部に突き合わせた状態で、サイドランプユニット８を前扉３の両側縁に沿って取り付けることによって、トップライトユニット７とサイドランプユニット８との繋ぎ目Ａは、前扉３の上縁にあって、かつサイドランプユニット８の内側面８０よりも内側（中央寄り側）に偏倚する。この結果、前扉３の両側部の直線的デザインが緩和されて、デザインの自由度が向上すると共に、繋ぎ目Ａを目立たなくすることができる。
【００２７】
前扉３のデザイン変更及びメンテナンスは、トップランプユニット７または／及びサイドランプユニット８を交換することによって容易に行うことができる。また、前扉３の上部のデザインを変更する場合には、遊技に係わる演出画像が表示される表示窓３２を形成しないトップランプユニット７のみの交換で済むため、前扉３のデザインの自由度がより向上し、かつ柔軟なメンテナンスが可能となる。
【図面の簡単な説明】
【００２８】
【図１】本発明を適用した遊技機の斜視図である。
【図２】前扉の一部を分解した状態の遊技機の斜視図である。
【図３】右側のサイドランプユニットの分解斜視図である。
【図４】トップランプユニットの分解斜視図である。
【図５】前扉の右上隅部の拡大斜視図である。
【符号の説明】
【００２９】
１  遊技機
２  筐体
３  前扉
４  回転リール
５  液晶表示装置
６  透明パネル
７  トップランプユニット
８  サイドランプユニット
９  操作部表装板
１０  メダル投入部
１１  ＭＡＸベットボタン
１２  スタートレバー
１３  ストップボタン
３１  識別情報表示窓
３２  表示窓
３３  左上隅
３４  右上隅
６１  フィルム
７１  トップカバー
７２  基板
７３  発光ダイオード（光源）
７４  レンズ
７５  筒状体
８０  内側面
８１  サイドカバー
８２、８３  基板
８４、８５  発光ダイオード（光源）
８６、８７  レンズ
８８  筒状体
８９  装飾用レンズ
７１１  反射口
８１１  反射口
８１２  Ｌ字部
８１３  開口部
８６１  Ｌ字部
８６２  開口部
Ａ  繋ぎ目
【図１】
0005324802.tif 000002
【図２】
0005324802.tif 000003
【図３】
0005324802.tif 000004
【図４】
0005324802.tif 000005
【図５】
0005324802.tif 000006